(57)【特許請求の範囲】
【請求項１】
樋状体の断面を塞ぐ堰板と、所要の長さで樋状体の上面を覆う蓋板が、大略直交するように一体に形成され、前記堰板の外縁と前記蓋板の樋状体側縁に当接する部位に沿ってパッキンが取り付けられ、前記堰板と蓋板の境界部を回転中心として、前記樋状体側縁に回転可能に留める手段が設けられ、前記堰板に作用する水圧で生じる前記堰板と蓋板の境界部の回りのモーメントによって前記蓋板を前記樋状体側縁に押し付け、前記堰板と蓋板に取り付けたパッキンで、堰板および蓋板と前記樋状体との隙間を密封し、樋状体を締切るようにした樋状体の締切り装置。
【請求項２】
前記蓋板の下面側に、樋状体の長手方向に平行で、大略樋状体の深さに等しい仕切り板が取り付けられた請求項１に記載の樋状体の締切り装置。
【請求項３】
前記堰板と蓋板の境界部を樋状体側縁に留める手段が、樋状体の幅方向に差し渡し固定される軸と、前記堰板と蓋板の境界部に取り付けられた前記軸の回りに回転可能に係合する部材より成る請求項１または請求項２に記載の樋状体の締切り装置。
【請求項４】
前記蓋板の堰板とは反対側の端を前記樋状体側縁に留める手段が設けられた請求項１乃至請求項３のいずれかに記載の樋状体の締切り装置。
【請求項５】
前記樋状体が生コンクリート車の生コンクリートを抽出する傾斜樋である請求項１乃至請求項４のいずれかに記載の樋状体の締切り装置。
【発明の詳細な説明】
【０００１】
【発明の属する技術分野】
この発明は、樋や水路等樋状体の締切り装置に関するものであり、特に、生コンクリート車の生コンクリートを抽出する傾斜樋に、コンクリート残滓を洗った水を溜めるのに好適な締切り装置に関するものである。
【０００２】
【従来の技術および発明が解決しようとする課題】
生コンクリート車は、貯蔵庫等で生コンクリートの原材料をホッパーから混合ドラム内に投入し、混合ドラムを回転して生コンクリートを混合しながら搬送し、混合された生コンクリートを工事現場で傾斜樋から抽出している。生コンクリートを抽出完了した生コンクリート車は、再び原材料投入のために貯蔵庫等へ引き返す。
【０００３】
前記生コンクリートを抽出したままで貯蔵庫等へ引き返すと、ホッパーや傾斜樋に付着する生コンクリートの残滓が固形化する。この固形化したコンクリート残滓の除去には多大の労力を要し、またこの残滓が道路に落ちたりする問題もあるため、通常は工事現場で生コンクリートを抽出した直後にホッパーや傾斜樋を水洗いしている。この水洗いに使用した水は、生コンクリートを多く含有するので、廃棄場所が限定され、工事現場では廃棄できない場合が多い。
【０００４】
上記の問題に対して、従来は、傾斜樋の先端に袋を取り付け、前記水洗いした水をこの袋の中に溜めて持ち帰るようにしているが、この袋が生コンクリート車の走行中に外れたり破損したりし易く、道路等を汚す問題がある。
【０００５】
そこで、この発明の課題は、安定して簡便に水等を締切ることができる樋状体の締切り装置を提供することである。
【０００６】
【課題を解決するための手段】
上記の課題を解決するために、この発明の樋状体の締切り装置は、樋状体の断面を塞ぐ堰板と、所要の長さで樋状体の上面を覆う蓋板を、大略直交するように一体に形成し、前記堰板の外縁と前記蓋板の樋状体側縁に当接する部位に沿ってパッキンを取り付け、前記堰板と蓋板の境界部を樋状体側縁に留める手段を設けた構成を採用したのである。
【０００７】
すなわち、前記堰板と蓋板を大略直交させて一体化し、この一体化した堰板と蓋板の境界部を樋状体側縁に留めることにより、堰板に作用する水圧で生じる、堰板と蓋板の前記境界部の回りのモーメントを利用して、蓋板を樋状体側縁に自然に押し付け、前記堰板と蓋板に取り付けたパッキンで、この堰板および蓋板と樋状体との隙間を密封して、樋状体を締切るようにしたのである。
【０００８】
前記蓋板の下面側に、樋状体の長手方向に平行で、大略樋状体の深さに等しい仕切り板を取り付けることにより、樋状体が振動等で動く際に、樋状体に締切られて溜まった液体が揺動するのを抑制することができる。この仕切り板は、前記堰板側にも接続固定すれば、補強リブの役目も果たす。
【０００９】
前記堰板と蓋板の境界部を樋状体側縁に留める手段として、樋状体の幅方向に差し渡し固定される軸と、この軸の回りに回転可能に係合する部材を、堰板と蓋板の境界部に取り付ける方法を採用することにより、蓋板のこの軸と反対側の部分を持ち上げて、この軸の回りに一体の堰板と蓋板を回転させ、容易に樋状体の締切りを解除することができる。
【００１０】
前記蓋板の堰板とは反対側の端を前記樋状体側縁に留める手段を設ければ、樋状体が振動等で大きく動いても安定して樋状体を締切ることができる。
また、前記締切り装置を、生コンクリート車の生コンクリートを抽出する傾斜樋に取り付けることにより、工事現場でホッパーや傾斜樋を洗浄した水をこの傾斜樋に溜めて持ち帰ることができる。
【００１１】
【発明の実施の形態】
以下、図１乃至図３に基づき、この発明の実施形態を説明する。図１は実施形態の樋状体の締切り装置１を生コンクリート車の傾斜樋２に取り付けた状態を、図２はその分解斜視図を示す。図１（ａ）は正面断面図、図１（ｂ）は側面断面図である。
【００１２】
この締切り装置１は、傾斜樋２の断面を塞ぐ堰板３と傾斜樋２の上面を覆う蓋板４が、１枚の鋼板を直角に折り曲げて形成され、堰板３の外縁と蓋板４の幅縁に沿って、ゴム製のパッキン５が取り付けられ、堰板３および蓋板４と傾斜樋２との隙間を密封している。また、蓋板４の下面側には、大略樋２の深さに等しい２枚の仕切り板６が、堰板３と蓋板４に溶接で接合されている。前記堰板３と蓋板４は、別の板材で形成し、これらを直角に結合してもよい。
【００１３】
前記堰板３と蓋板４の境界部には、３本のパイプ片７が１列に溶接され、これらの各パイプ片７に、傾斜樋２の側縁に金具８で差し渡し固定された軸棒９が通されている。この軸棒９の直径は、前記パイプ片７の内径よりも細く、一体の堰板３と蓋板４は、この軸棒９の回りに回転できるようになっている。
【００１４】
前記傾斜樋２に排出されたコンクリート残滓の洗い水１０は、前記堰板３で塞き止められて傾斜樋２に溜まり、この溜まった洗い水１０の水圧で、前記一体の堰板３と蓋板４は前記軸棒９の回りに、図１（ａ）中に実線の矢印で示す向きのモーメントを受ける。したがって、このモーメントにより、蓋板４は傾斜樋２の側縁に押し付けられ、一体の堰板３と蓋板４が傾斜樋２を安定して締切ることができる。
【００１５】
前記蓋板４の前記軸棒９とは反対側端部の上面には、前記傾斜樋２の側縁に取り付けられた回動ピン式留め金具１３に係合する留め板１４が取り付けられている。この留め金具１３と留め板１４は、生コンクリート車が走行中にバウンドした際に、蓋板４がばたつくのを防止するためのものである。この留め金具としてはスプリング式留め金具等、種々のものを使用できる。
【００１６】
この締切り装置１は、前記留め金具１３と留め板１４の係合を外し、前記蓋板４の留め板１４が取り付けられた側の端を持ち上げることにより、図１（ａ）に１点鎖線で示すように、容易に締切りを解除することができる。
【００１７】
図３は、前記締切り装置１を取り付けた生コンクリート車を示す。生コンクリートを混合ドラム１１から抽出完了した生コンクリート車は、前記傾斜樋２を締切り装置１で締切られ、ホッパー１２と傾斜樋２が水で洗われる。この洗い水は傾斜樋２内に溜めて持ち帰られる。
【００１８】
以上、この発明の締切り装置を生コンクリート車の傾斜樋に取り付けた実施形態について述べたが、この締切り装置は傾斜した樋に限らず、水平な樋や水路等に取り付けて水等の液体を締切ることができる。
【００１９】
また、上述の実施形態では、締切り装置を軸棒を介して樋の側縁に回転可能に取り付けたが、樋状体の側縁に留め金具を取り付け、この留め金具で締切り装置の堰板側を固定するようにしてもよい。
【００２０】
【発明の効果】
以上のように、この発明の樋状体の締切り装置は、樋状体の断面を塞ぐ堰板と樋状体の上面を覆う蓋板を大略直交させて一体化し、この一体化した堰板と蓋板の境界部を樋状体側縁に留めることにより、堰板に作用する水圧で生じる、堰板と蓋板の前記境界部の回りのモーメントを利用して、蓋板を樋状体側縁に自然に押し付け、前記堰板と蓋板に取り付けたパッキンで、この堰板および蓋板と樋状体との隙間を密封するようにしたので、樋状体に流れ込む水等の液体を安定して簡便に締切ることができる。また、前記蓋板の下面側に、樋状体の長手方向に平行で、大略樋状体の深さに等しい仕切り板を取り付けることにより、樋状体が振動等で動く際に、樋状体に締切られて溜まった液体が揺動するのを抑制することができる。
【図面の簡単な説明】
【図１】ａは傾斜樋に実施形態の締切り装置を取り付けた状態を示す断面図、ｂはａのｂ−ｂ線に沿った断面図
【図２】図１の一部省略分解斜視図
【図３】図１の締切り装置を取り付けた生コンクリート車を示す図
【符号の説明】
１  締切り装置
２  傾斜樋
３  堰板
４  蓋板
５  パッキン
６  仕切り板
７  パイプ片
８  金具
９  軸棒
１０  水
１１  混合ドラム
１２  ホッパー
１３  留め金具
１４  留め板
【図１】
0004043558.tif 000002
【図２】
0004043558.tif 000003
【図３】
0004043558.tif 000004